(57)【要約】【課題】プリンタ駆動用信号を記録していない記録媒体であっても、当該媒体に収録されている字幕を用紙に印刷することができる映像再生装置を提供する。【解決手段】ＤＶＤプレーヤ１０に、プリンタと接続しプリンタにデータを送信するためのＵＳＢインターフェイス８と、プリンタに送信する前のデータを格納するためのスプーラ１１とを設け、ＥＥＰＲＯＭ９にプリンタに対応したプリンタドライバＤを予め記憶しておく。そして、ＤＶＤに記録されている字幕データをプリンタドライバＤに基づいてプリンタに印刷させることが可能な印刷用のデータに変換し、変換したデータを一旦スプーラ１１に格納した後、ＵＳＢインターフェイス８によってプリンタに送信し、プリンタによって字幕を用紙に印刷する。【選択図】    図２
2004228997.tif 000002
【特許請求の範囲】
【請求項１】
ＤＶＤに記録されているビデオパックとサブピクチャーパックの各データを読み出し、ビデオパックに格納されている主映像データとサブピクチャーパックに格納されている字幕データとに基づいて字幕を含む映像を再生する映像再生装置において、
プリンタと接続しプリンタにデータを送信するためのインターフェースと、
プリンタを動作させるためのプログラムであるプリンタドライバを記憶したＥＥＰＲＯＭと、
プリンタに送信する前のデータを格納するためのＲＡＭであるスプーラと、
前記プリンタドライバに基づいてプリンタを動作させる制御部と、を備え、
前記制御部は、前記プリンタドライバに基づいて前記字幕データをプリンタに印刷させることが可能な印刷用のデータに変換し、変換したデータを一旦前記スプーラに格納した後前記インターフェースによってプリンタに送信し、プリンタによって字幕を用紙に印刷することを特徴とする映像再生装置。
【請求項２】
記録媒体に記録されている主映像データと字幕データとを読み出して字幕を含む映像を再生する映像再生装置において、
プリンタと接続しプリンタにデータを送信するためのプリンタ接続手段と、
プリンタを動作させるためのプログラムであるプリンタドライバを記憶したメモリと、
前記プリンタドライバに基づいてプリンタを動作させる制御部と、を備え、
前記制御部は、前記プリンタドライバに基づいて前記字幕データをプリンタに印刷させることが可能な印刷用のデータに変換し、変換したデータを前記プリンタ接続手段によってプリンタに送信して、プリンタによって字幕を用紙に印刷することを特徴とする映像再生装置。
【請求項３】
請求項２に記載の映像再生装置において、
字幕を用紙に印刷するか否かを指定するための印刷指定手段を設けたことを特徴とする映像再生装置。
【請求項４】
請求項３に記載の映像再生装置において、
記録媒体に記録されている全ての字幕データから用紙に印刷する字幕の対象を選択するための印刷対象選択手段を設けたことを特徴とする映像再生装置。
【請求項５】
請求項２ないし請求項４のいずれかに記載の映像再生装置において、
プリンタドライバを記録した記録媒体から前記プリンタドライバを取得するためのプリンタドライバ取得手段を備え、
前記制御部は、前記プリンタドライバ取得手段によって取得したプリンタドライバを前記メモリに予め記憶されたプリンタドライバととともに記憶させ、
前記メモリに記憶されたプリンタドライバからプリンタに対応したプリンタドライバを選択するためのプリンタドライバ選択手段を設けたことを特徴とする映像再生装置。
【請求項６】
請求項５に記載の映像再生装置において、
前記プリンタドライバ取得手段を、コンピュータと接続しコンピュータから記録媒体に記録されたプリンタドライバを受信するためのコンピュータ接続手段から構成したことを特徴とする映像再生装置。
【発明の詳細な説明】
【０００１】
【発明の属する技術分野】
本発明は、ＤＶＤ等に記録されている字幕データを読み出して、プリンタによって字幕を用紙に印刷することができる映像再生装置に関するものである。
【０００２】
【従来の技術】
洋画等のコンテンツを収録したＤＶＤ（Ｄｉｇｉｔａｌ  Ｖｅｒｓａｔｉｌｅ  Ｄｉｓｋ）では、ディスクのデータ中に主映像データや音声データに加えて字幕データが含まれており、ディスクをＤＶＤプレーヤで再生した場合に、字幕を含んだ映像が表示されるようになっている。また、字幕データとしては、日本語、英語、フランス語というように複数の言語体系のものが含まれていることがあるが、例えば下記の特許文献１に記載されているようなＤＶＤプレーヤによると、ユーザは所望の言語体系の字幕を容易に選択し、その字幕を含んだ映像を表示させることができる。
【０００３】
ところが、上記のように表示される字幕は次々と切り替わって表示されるので、ユーザは字幕をじっくり読んで洋画等のコンテンツを楽しむことができなかった。また、素早く切り替わる場面では、字幕を読み逃してしまうことがあった。
【０００４】
一方、下記の特許文献２には、ビデオディスクに記録されている文字情報等のデータをプリンタによって用紙に印刷するビデオディスクプレーヤが記載されている。これは、ビデオディスクのデータの所定の位置に予めプリンタ駆動用信号を記録しておき、ビデオディスクの再生中にプリンタ駆動用信号を取り出して、この信号によって文字情報等のデータをプリンタに送信し、プリンタを駆動して文字情報等を用紙に印刷している。
【０００５】
【特許文献１】
特開２００１−３５９０４２号公報
【特許文献２】
特開昭５８−２０４６８２号公報
【０００６】
【発明が解決しようとする課題】
上述したビデオディスクの文字情報等のように、字幕も用紙に印刷すれば、ユーザは字幕をじっくり読んで楽しむことができる。しかし、特許文献２のビデオディスクプレーヤでは、データ中にプリンタ駆動用信号を記録したビデオディスクの文字情報等は用紙に印刷することができるが、ビデオディスクとはデータの記録フォーマットが異なり、データ中にプリンタ駆動用信号を記録していないＤＶＤ等の字幕は用紙に印刷することができない。
【０００７】
本発明は、上記問題点を解決するものであって、その課題とするところは、プリンタ駆動用信号を記録していない記録媒体であっても、当該媒体に収録されている字幕を用紙に印刷することができる映像再生装置を提供することにある。
【０００８】
【課題を解決するための手段】
本発明は、記録媒体に記録されている主映像データと字幕データとを読み出して字幕を含む映像を再生する映像再生装置において、プリンタと接続しプリンタにデータを送信するためのプリンタ接続手段と、プリンタを動作させるためのプログラムであるプリンタドライバを記憶したメモリと、プリンタドライバに基づいてプリンタを動作させる制御部とを設ける。この構成において、制御部は、プリンタドライバに基づいて字幕データをプリンタに印刷させることが可能な印刷用のデータに変換し、変換したデータをプリンタ接続手段によってプリンタに送信して、プリンタによって字幕を用紙に印刷する。
【０００９】
このように、記録媒体に記録されている字幕データをプリンタドライバによって印刷用のデータに変換し、プリンタに送信してプリンタで字幕を用紙に印刷することで、ユーザは印刷された字幕をじっくり読んで洋画等のコンテンツを楽しむことができる。また、視聴時に素早く切り替わる場面の字幕を読み逃した場合でも、印刷された字幕によりセリフ等を容易に確認することができる。また、特許文献２のビデオディスクプレーヤのように、記録媒体のデータ中にプリンタ駆動用信号を予め記録しておく必要がない。さらに、映像再生装置に用紙搬送機構や印字機構等のようなプリンタ特有の機構を設ける必要がなく、映像再生装置のコストを低く抑えることができる。
【００１０】
また、本発明においては、字幕を用紙に印刷するか否かを指定するための印刷指定手段を設ける。
【００１１】
このようにすると、ユーザは所望のタイミングで字幕を用紙に印刷することができる。
【００１２】
また、本発明においては、記録媒体に記録されている全ての字幕データから用紙に印刷する字幕の対象を選択するための印刷対象選択手段を設ける。
【００１３】
このようにすると、ユーザは必要な箇所の字幕を自由に選択して用紙に印刷することができる。
【００１４】
また、本発明においては、プリンタドライバを記録した記録媒体からプリンタドライバを取得するためのプリンタドライバ取得手段を設ける。この場合、制御部は、プリンタドライバ取得手段によって取得したプリンタドライバをメモリに予め記憶されたプリンタドライバととともに記憶させ、メモリに記憶されたプリンタドライバからプリンタに対応したプリンタドライバを選択するためのプリンタドライバ選択手段を設けるのが好ましい。
【００１５】
このようにすると、メモリに予め記憶されていなかったプリンタドライバを映像再生装置に設定することができるので、ユーザは所望のプリンタで字幕を用紙に印刷することが可能となる。また、メモリに予め記憶されていたプリンタドライバのバージョンアップ版を映像再生装置に設定することもできるので、ユーザはプリンタドライバのアップデイトを行うことが可能となる。
【００１６】
また、本発明においては、プリンタドライバ取得手段を、コンピュータと接続しコンピュータから記録媒体に記録されたプリンタドライバを受信するためのコンピュータ接続手段から構成するのが好ましい。
【００１７】
このようにすると、コンピュータを利用してインターネット上のサーバやＣＤ−ＲＯＭ等の記録媒体からプリンタドライバを取得することができるので、映像再生装置にインターネットに接続するための機能やＣＤ−ＲＯＭ等のデータを読み取る機能を設ける必要がなく、映像再生装置のコストを低く抑えることができる。
【００１８】
さらに、本発明は、典型的には、ＤＶＤに記録されているビデオパックとサブピクチャーパックの各データを読み出し、ビデオパックに格納されている主映像データとサブピクチャーパックに格納されている字幕データとに基づいて字幕を含む映像を再生する映像再生装置において、プリンタと接続しプリンタにデータを送信するためのインターフェイスと、プリンタを動作させるためのプログラムであるプリンタドライバを記憶したＥＥＰＲＯＭと、プリンタに送信する前のデータを格納するためのＲＡＭであるスプーラと、プリンタドライバに基づいてプリンタを動作させる制御部とを設ける。この構成の場合、制御部は、プリンタドライバに基づいて字幕データをプリンタに印刷させることが可能な印刷用のデータに変換し、変換したデータを一旦スプーラに格納した後インターフェイスによってプリンタに送信し、プリンタによって字幕を用紙に印刷する。
【００１９】
このように、ＤＶＤに記録されている字幕データをプリンタドライバによって印刷用のデータに変換し、プリンタに送信してプリンタで字幕を用紙に印刷することで、ユーザは印刷された字幕をじっくり読んで洋画等のコンテンツを楽しむことができる。また、視聴時に素早く切り替わる場面の字幕を読み逃した場合でも、印刷された字幕によりセリフ等を容易に確認することができる。また、特許文献２のビデオディスクプレーヤのように、ＤＶＤのデータ中にプリンタ駆動用信号を予め記録しておく必要がなく、ＤＶＤの規格を変更しなくてもよくなる。また、印刷用のデータを一旦スプーラに格納した後、プリンタに送信することで、字幕の印刷中にＤＶＤを再生する等の他の処理を行うことができる。さらに、映像再生装置に用紙搬送機構や印字機構等のようなプリンタ特有の機構を設ける必要がなく、映像再生装置のコストを低く抑えることができる。
【００２０】
【発明の実施の形態】
図１は、ＤＶＤプレーヤを用いたシステムの一例を示している。図１において、１０はＤＶＤ（Ｄｉｇｉｔａｌ  Ｖｅｒｓａｔｉｌｅ  Ｄｉｓｋ）３０に記録されているデータを読み取って再生するＤＶＤプレーヤ、２０はＤＶＤプレーヤ１０の再生、停止、早送り等の動作を制御するリモコンである。なお、ＤＶＤプレーヤ１０は、本実施形態では再生機能だけを備えたＤＶＤプレーヤであるが、再生機能に加えて外部から受信したデータをＤＶＤ３０に記録する記録機能を備えたＤＶＤプレーヤであってもよい。４０はＤＶＤプレーヤ１０とケーブルＡによって接続されたテレビであって、ＤＶＤプレーヤ１０で再生された音声を出力するためのスピーカ４０ａと、再生された映像を表示するモニタ４０ｂとを備えている。５０はＤＶＤプレーヤ１０とＵＳＢ（Ｕｎｉｖｅｒｓａｌ  Ｓｅｒｉａｌ  Ｂｕｓ）規格に準拠したケーブル（以下、ＵＳＢケーブル）Ｕ１によって接続されたプリンタ、６０はプリンタ５０が切断された後ＤＶＤプレーヤ１０とＵＳＢケーブルＵ２によって接続されるコンピュータ（ＰＣ（Ｐｅｒｓｏｎａｌ  Ｃｏｍｐｕｔｅｒ）、以下では単にＰＣと記す）である。本実施形態では、ＤＶＤプレーヤ１０に、ＵＳＢケーブルＵ１、Ｕ２を装着できるコネクタＲを１つだけ設けている。ＤＶＤプレーヤ１０は、本発明における映像再生装置を構成し、ＤＶＤ３０は、本発明における記録媒体を構成する。
【００２１】
図２は、ＤＶＤプレーヤ１０の電気的構成を示したブロック図である。図２において、１は本発明における制御部であって、ＣＰＵやメモリから構成される。２は図１に示したリモコン２０からの信号を受信するリモコン受信部であって、ＤＶＤプレーヤ１０の筐体の前面に設けられる。３はＤＶＤプレーヤ１０の筐体に備えられた操作部であって、各種のキーやスイッチなどから構成される。４はＤＶＤプレーヤ１０の動作状態などを表示する表示部、５はＤＶＤ３０に記録された情報を再生するディスク再生部、６はＤＶＤ３０に情報を記録するディスク記録部である。７は入出力インターフェイスであって、図１に示したケーブルＡが装着されるコネクタを備えている。この入出力インターフェイス７によってＤＶＤプレーヤ１０とテレビ４０とが電気的に接続され、制御部１は後述するアナログの音声信号やテレビ用の映像信号をテレビ４０に出力する。
【００２２】
８はＵＳＢインターフェイスであって、図１に示したＵＳＢケーブルＵ１またはＵＳＢケーブルＵ２が装着されるコネクタＲを備えている。このＵＳＢインターフェイス８によってＤＶＤプレーヤ１０とプリンタ５０とが電気的に接続され、制御部１は後述する印刷用のデータをプリンタ５０に送信する。また、ＵＳＢインターフェイス８によってＤＶＤプレーヤ１０とＰＣ６０とが電気的に接続され、制御部１は後述するプリンタドライバをＰＣ６０から受信する。このように、プリンタ５０用のインターフェイスとＰＣ６０用のインターフェイスを１つのＵＳＢインターフェイス８で兼用することで、ＤＶＤプレーヤ１０のコストを低く抑えることができる。ＵＳＢインターフェイス８は、本発明におけるインターフェイスと、プリンタ接続手段と、コンピュータ接続手段と、プリンタドライバ取得手段とを構成する。
【００２３】
９は不揮発性のメモリであるＥＥＰＲＯＭであって、本発明におけるメモリを構成する。ＥＥＰＲＯＭ９は、書換え可能なＲＯＭの中でも電気的にデータの書き込みまたは消去の処理が容易に行える。このＥＥＰＲＯＭ９には、ＤＶＤプレーヤ１０の製造時に、プリンタ５０を動作させるためのプログラムであるプリンタドライバＤが予め記憶されている。制御部１はこのプリンタドライバＤに基づいて、ＤＶＤ３０に記録されている字幕データをプリンタ５０に印刷させることが可能な印刷用のデータに変換する。１１はＲＡＭ等のメモリから構成されるスプーラであって、プリンタ５０に送信する前の印刷用のデータを格納する。
【００２４】
図３は、ＤＶＤ３０のデータ構造を階層的に示した図である。図３（ａ）はディスクのボリューム空間を表しており、ボリューム空間はボリューム及びファイル構成ゾーンと、ＤＶＤビデオゾーンと、その他のゾーンとから構成される。ＤＶＤビデオゾーンは、図３（ｂ）に示すように、ビデオマネージャＶＭＧと、ビデオタイトルセットＶＴＳ＃１〜ＶＴＳ＃ｎからなる。ビデオマネージャＶＭＧは、全ビデオタイトルセットの内容を表すテーブルであって、ビデオマネージャ・インフォメーションＶＭＧＩと呼ばれる制御データと、ＶＭＧメニュー表示用のビデオオブジェクトセットと、バックアップ用の制御データとで構成される。ビデオタイトルセットＶＴＳ（＃１〜＃ｎ）はタイトルの集合であって、各ＶＴＳは、図３（ｃ）に示すように、ビデオタイトルセット・インフォメーションＶＴＳＩと呼ばれる制御データと、ＶＴＳメニュー表示のためのメニュー用ビデオオブジェクトセットＶＯＢＳと、映像を表示するための映像用ビデオオブジェクトセットＶＯＢＳと、バックアップ用の制御データとで構成される。
【００２５】
ビデオタイトルセットＶＴＳの映像用ビデオオブジェクトセットＶＯＢＳは、図３（ｄ）に示すように複数のセル（Ｃｅｌｌ）から構成される。セルは再生されるコンテンツの基本単位となるものであり、映像の切換はこのセル単位で行なわれる。また、各セルは図３（ｅ）に示すように、複数のビデオオブジェクトユニットＶＯＢＵから構成される。そして、各ビデオオブジェクトユニットＶＯＢＵは、図３（ｆ）に示すように、ナビゲーションパック、ビデオパック、オーディオパック、サブピクチャーパックから構成される。それぞれのパックは、１つである場合もあるし、複数である場合もある。
【００２６】
ナビゲーションパックは、ビデオオブジェクトユニットＶＯＢＵの先頭に置かれ、主として所属するＶＯＢＵ内のデータの再生表示制御やデータ検索を行なうための制御データとして用いられる。ビデオパックは、映像信号をＭＰＥＧ規格に従って圧縮した主映像データである。オーディオパックは、音声信号をＰＣＭ方式等により処理した音声データである。サブピクチャーパックは字幕などの信号をランレングス圧縮処理した副映像データである。すなわち、このサブピクチャーパックに字幕データが含まれている。
【００２７】
それぞれのビデオオブジェクトユニットＶＯＢＵにある各サブピクチャーパックのヘッダには、当該サブピクチャーパックにより構成されるサブピクチャーストリーム（後述）のストリームＩＤが格納されており、同一のストリームＩＤが付与されたサブピクチャーパックが集合して１つのサブピクチャーストリームが形成される。そして、字幕の言語はストリームごとに日本語、英語、フランス語等のように異なっており、たとえば字幕を日本語に設定した場合は、日本語に対応するストリームの字幕データのみが取得され、他の言語に対応するストリームの字幕データは破棄される。
【００２８】
図４は、ＤＶＤプレーヤ１０においてＤＶＤ３０に記録されているデータを処理するときの処理フローを表した図である。図４において、まず、ＤＶＤ３０を再生する場合の処理を説明する。ディスク再生部５は、ＤＶＤ３０に記録されているデータを順次読み取って、ビデオパック、オーディオパック、サブピクチャーパックの各データを種類別に振分ける。そして、オーディオパックを集めて音声ストリームを生成し（Ｓ１）、ビデオパックを集めて映像ストリームを生成し（Ｓ２）、サブピクチャーパックを集めてサブピクチャーストリームを生成する（Ｓ３）。
【００２９】
ディスク再生部５は、生成した音声ストリームからＰＣＭ方式等で処理された音声データを取り出してデコードし（Ｓ４）、再生用のデジタルの音声データを作成する（Ｓ５）。ディスク再生部５によってデジタルの音声データが作成されると、制御部１が、デジタルの音声データをアナログの音声信号に変換した（Ｓ６）後、入出力インターフェイス７によってテレビ４０へ出力する（Ｓ７）。この後は、テレビ４０がアナログの音声信号に基づいてスピーカ４０ａから音声を出力する。
【００３０】
また、ディスク再生部５は、生成した映像ストリームからＭＰＥＧ規格で圧縮された主映像データを取り出してデコードし（Ｓ８）、圧縮されていない主映像データを作成するとともに（Ｓ９）、サブピクチャーストリームからランレングス圧縮処理された字幕データを取り出してデコードし（Ｓ１０）、ビットマップデータ形式の字幕データを作成する（Ｓ１１）。そしてさらに、作成した主映像データと字幕データとを合成して、主映像と字幕とを含む再生用の映像データを作成する（Ｓ１２）。ディスク再生部５によって再生用の映像データが作成されると、制御部１が、再生用の映像データをテレビ用の映像信号に変換した（Ｓ１３）後、入出力インターフェイス７によってテレビ４０へ出力する（Ｓ１４）。この後は、テレビ４０がテレビ用の映像信号に基づいてモニタ４０ｂに字幕を含む映像を表示する。
【００３１】
次に、字幕を用紙に印刷する場合の処理を説明する。後述する画面（図６）によってユーザが字幕の印刷を指定すると、ディスク再生部５は、前述のようにして、ＤＶＤ３０に記録されているデータを読み取ってサブピクチャーストリームを生成し（Ｓ３）、サブピクチャーストリームの字幕データをデコードして（Ｓ１０）、ビットマップデータ形式の字幕データを作成する（Ｓ１１）。ディスク再生部５によってビットマップデータ形式の字幕データが作成されると、制御部１は、ＥＥＰＲＯＭ９に記憶されたプリンタドライバＤを用いて字幕データを印刷用のデータに変換し（Ｓ１５）、変換したデータを一旦スプーラ１１に格納する（Ｓ１６）。そして、印刷用のデータがスプーラ１１に所定量蓄積されると、ＵＳＢインターフェイス８によってプリンタ５０へ送信する（Ｓ１７）。この後は、プリンタ５０が印刷用のデータに基づいて字幕を用紙に印刷する。
【００３２】
図５は、字幕の印刷設定をするための初期メニュー画面の図である。なお、この画面は、制御部１のメモリに記憶されている画面データに基づいて、テレビ４０のモニタ４０ｂに表示される。後述する図６および図９に示す画面も同様である。初期メニュー画面Ｇ１は、例えば、ＤＶＤ３０をＤＶＤプレーヤ１０にセットした直後に表示される図示しないメインメニュー画面上に「初期メニュー表示ボタン」を設けておき、このボタンがリモコン２０（図１）または操作部３（図２）の操作によって選択されたときに表示される。また、リモコン２０に「初期メニュー表示ボタン」を設けておき、このボタンが押されたときに表示されるようにしてもよい。
【００３３】
初期メニュー画面Ｇ１上の、「Ｐｒｉｎｔ  Ｓｃｒｉｐｔ」ボタンＢ１を選択すると、図６に示す画面が表示され、「Ｐｒｉｎｔｅｒ  Ｄｒｉｖｅｒ」ボタンＢ２を選択すると、図９に示す画面が表示される。また、「Ｅｘｉｔ」ボタンＢ３を選択すると、初期メニュー画面Ｇ１が表示されなくなって、印刷設定が終了する。なお、ボタンＢ１〜Ｂ３の選択は、リモコン２０または操作部３を操作して画面Ｇ１上のカーソルＫ１を移動させることにより行うことができる。
【００３４】
図６は、字幕を用紙に印刷するか否かを指定するための印刷指定画面の図である。図６において、印刷指定画面Ｇ２上の「ＰＲＩＮＴ  ＴＡＲＧＥＴ  ＳＥＬＥＣＴ」Ｗ１は、印刷する字幕の対象を選択するための印刷対象選択ウインドウであって、ＤＶＤ３０に収録されている全てのコンテンツのタイトルと、各タイトル毎のチャプターとが階層的に表わされている。それぞれのタイトルおよびチャプターの前にはチェックボックスＣ１が設けられていて、このチェックボックスＣ１を「ＴＩＴＬＥ＃１のＣＨＡＰＴＥＲ＃１」や「ＴＩＴＬＥ＃２のＣＨＡＰＴＥＲ＃２」のようにチェックすることにより、チェックしたタイトルおよびチャプターに含まれる字幕が印刷対象として選択される。なお、チェックボックスＣ１のチェックは、リモコン２０または操作部３を操作して行うことができる。
【００３５】
ウインドウＷ１で印刷対象の字幕を選択した後、印刷指定画面Ｇ２上の「Ｐｒｉｎｔ」ボタンＢ４を選択すると、図４で説明した字幕の印刷処理が実行され、印刷対象の字幕がプリンタ５０によって用紙に印刷される。また、「Ｃａｎｃｅｌ」ボタンＢ５を選択すると、印刷指定画面Ｇ２が表示されなくなり、字幕の印刷処理は実行されない。なお、ボタンＢ４、Ｂ５の選択は、リモコン２０または操作部３を操作して画面Ｇ２上のカーソルＫ２を移動させることにより行うことができる。印刷指定画面Ｇ２は、本発明における印刷指定手段を構成し、印刷対象選択ウインドウＷ１は、本発明における印刷対象選択手段を構成する。
【００３６】
図７は、用紙に印刷された字幕の印刷イメージの一例を示す図である。図７において、用紙Ｓ上には、印刷対象を示すヘッダーＨと、日本語の字幕Ｊと、用紙Ｓのページ数を示すフッターＦとがそれぞれ印刷されている。このように字幕Ｊが印刷された用紙Ｓを複数枚集めると、映画等の台本が再現できる。
【００３７】
以上のように、ＤＶＤ３０に記録されている字幕データをプリンタドライバＤによって印刷用のデータに変換し、プリンタ５０に送信してプリンタ５０で字幕を用紙に印刷することで、ユーザは印刷された字幕をじっくり読んで洋画等のコンテンツを楽しむことができる。また、視聴時に素早く切り替わる場面の字幕を読み逃した場合でも、印刷された字幕によりセリフ等を容易に確認することができる。また、特許文献２のビデオディスクプレーヤのように、ＤＶＤ３０のデータ中にプリンタ駆動用信号を予め記録しておく必要がなく、ＤＶＤ３０の規格を変更しなくてもよくなる。また、印刷用のデータを一旦スプーラ１１に格納した後、プリンタ５０に送信することで、字幕の印刷中にＤＶＤ３０を再生する等の他の処理を行うことができる。さらに、ＤＶＤプレーヤ１０に用紙搬送機構や印字機構等のようなプリンタ特有の機構を設ける必要がなく、ＤＶＤプレーヤ１０のコストを低く抑えることができる。
【００３８】
また、印刷指定画面Ｇ２（図６）によって字幕を印刷するか否かを指定することで、ユーザは所望のタイミングで字幕を用紙に印刷することができる。さらに、ウインドウＷ１（図６）によって印刷する字幕の対象を選択することで、ユーザは必要な箇所の字幕を自由に選択して用紙に印刷することができる。
【００３９】
図８は、プリンタドライバをＤＶＤプレーヤ１０のＥＥＰＲＯＭ９に記憶させる手順を説明する図である。なお、この手順は、ＤＶＤプレーヤ１０のユーザによる使用時に、図１に示したプリンタ５０以外の別のプリンタに対応したプリンタドライバや、ＥＥＰＲＯＭ９に予め記憶されているプリンタドライバＤのバージョンアップ版のプリンタドライバをＥＥＰＲＯＭ９に記憶させて、後述する図９の画面によってＤＶＤプレーヤ１０に設定するために行われる。
【００４０】
図８において、７０は外部に設置されているサーバであって、内蔵するハードディスク等の記録媒体にプリンタ５０以外の別のプリンタに対応したプリンタドライバや、ＥＥＰＲＯＭ９に予め記憶されているプリンタドライバＤのバージョンアップ版のプリンタドライバを記録していて、それらをインターネットＷ上で提供している。ユーザは、ＤＶＤプレーヤ１０とＰＣ６０とをＵＳＢケーブルＵ２によって接続すると、ＰＣ６０のモニタ（図示省略）を見ながらマウスやキーボード（図示省略）を操作してインターネットＷに接続し、サーバ７０からプリンタドライバをダウンロードする（Ｔ１）。そして、ダウンロードしたプリンタドライバをＰＣ６０において実行し（Ｔ２）、これをプログラムとして使用できる状態のデータにして、ＤＶＤプレーヤ１０に転送する（Ｔ３）。なお、プリンタドライバがＣＤ−ＲＯＭ８０等の記録媒体に記録されて提供されている場合は、ＣＤ−ＲＯＭ８０等をＰＣ６０のディスクドライブに挿入し、ＣＤ−ＲＯＭ８０等からプリンタドライバを読み取ってＰＣ６０に保存した（Ｔ１ａ）後、保存したプリンタドライバを実行し（Ｔ２）、ＤＶＤプレーヤ１０に転送してもよい（Ｔ３）。
【００４１】
プリンタドライバが転送されると、ＤＶＤプレーヤ１０はＵＳＢインターフェイス８によってこれを受信し、受信したプリンタドライバを制御部１がＥＥＰＲＯＭ９に記憶させる（Ｔ４）。これにより、ＥＥＰＲＯＭ９には、予め記憶されたプリンタドライバＤと、ＰＣ６０によってサーバ７０から取得したプリンタドライバとがそれぞれ記憶された状態となる。この後は、後述する図９の画面によってプリンタドライバが選択され、ＤＶＤプレーヤ１０に設定される。
【００４２】
図９は、プリンタドライバを選択するためのプリンタドライバ選択画面の図である。図９において、プリンタドライバ選択画面Ｇ３上の「ＤＲＩＶＥＲ  ＳＥＬＥＣＴ」Ｗ２は、プリンタに対応したプリンタドライバを選択するためのウインドウであって、ＥＥＰＲＯＭ９に記憶されている全てのプリンタドライバが表示されている。ウインドウＷ２上の「Ｄｒｉｖｅｒ  Ａ  ｖｅｒ．１．０」は、図１のプリンタ５０に対応したプリンタドライバＤであって、「Ｄｒｉｖｅｒ  Ａ  ｖｅｒ．２．０」は、図８の手順によって取得したプリンタドライバＤのバージョンアップ版のプリンタドライバＤ１である。また、「Ｄｒｉｖｅｒ  Ｂ  ｖｅｒ．１．０」は、図８の手順によって取得したプリンタ５０以外の別のプリンタに対応したプリンタドライバＤ２である。それぞれのプリンタドライバＤ、Ｄ１、Ｄ２の前にはチェックボックスＣ２が設けられていて、このチェックボックスＣ２を「Ｄｒｉｖｅｒ  Ｂ  ｖｅｒ．１．０」のようにチェックすることにより、チェックしたプリンタドライバＤ２が選択される。なお、チェックボックスＣ２のチェックは、リモコン２０または操作部３を操作して行うことができる。
【００４３】
ウインドウＷ２でプリンタドライバＤ２を選択した後、プリンタドライバ選択画面Ｇ３上の「ＯＫ」ボタンＢ６を選択すると、プリンタドライバＤ２が字幕データを印刷用のデータに変換するために用いるプリンタドライバとして設定される。そしてこの後、ＤＶＤプレーヤ１０と別のプリンタとを接続すると、図４で説明したようにして、別のプリンタで字幕を用紙に印刷することができる。また、ウインドウＷ２でプリンタドライバＤ１を選択した場合は、ボタンＢ６を選択すると、プリンタドライバＤがプリンタドライバＤ１にアップデイトされる。そしてこの後、プリンタ５０で引き続き字幕を用紙に印刷することができる。
【００４４】
一方、「ＯＫ」ボタンＢ６を選択せずに「Ｃａｎｃｅｌ」ボタンＢ７を選択すると、プリンタドライバ選択画面Ｇ３が表示されなくなり、ウインドウＷ２で選択したプリンタドライバＤ２は設定されない。なお、ボタンＢ６、Ｂ７の選択は、リモコン２０または操作部３を操作して画面Ｇ３上のカーソルＫ３を移動させることにより行うことができる。プリンタドライバ選択画面Ｇ３は、本発明におけるプリンタドライバ選択手段を構成する。
【００４５】
上記のようにすると、ＥＥＰＲＯＭ９に予め記憶されていなかったプリンタドライバＤ２をＤＶＤプレーヤ１０に設定することができるので、ユーザは所望のプリンタで字幕を用紙に印刷することが可能となる。また、ＥＥＰＲＯＭ９に予め記憶されていたプリンタドライバＤのバージョンアップ版のプリンタドライバＤ１をＤＶＤプレーヤ１０に設定することもできるので、ユーザはプリンタドライバＤのアップデイトを行うことが可能となる。
【００４６】
また、図８で説明したように、ＰＣ６０を利用してインターネットＷ上のサーバ７０やＣＤ−ＲＯＭ８０等の記録媒体からプリンタドライバを取得することで、ＤＶＤプレーヤ１０にインターネットＷに接続するための機能やＣＤ−ＲＯＭ８０等のデータを読み取る機能を設ける必要がなく、ＤＶＤプレーヤ１０のコストを低く抑えることができる。
【００４７】
本発明では、上述した以外にも種々の実施形態を採用することができる。例えば、上記実施形態においては、ＥＥＰＲＯＭ９にプリンタ５０に対応したプリンタドライバＤを予め記憶しておき、これ以外の別のプリンタドライバはＰＣ６０によってサーバ７０やＣＤ−ＲＯＭ８０等から取得する場合を例に挙げているが、本発明はこれのみに限定するものではない。これ以外に、ＥＥＰＲＯＭ９に汎用のプリンタに対応したプリンタドライバを予め複数記憶しておいてもよい。また、別のプリンタドライバがＤＶＤに記録されて提供されている場合は、ＰＣ６０を利用することなく、直接ＤＶＤプレーヤ１０でＤＶＤから別のプリンタドライバを読み取って取得してもよい。さらに、本発明に係る映像再生装置を、ＤＶＤのデータを読み取り可能であるとともに、ＣＤ−ＲＯＭ等のデータも読み取り可能な映像再生装置で構成した場合は、ＰＣ６０を利用することなく、直接映像再生装置でＣＤ−ＲＯＭ等から別のプリンタドライバを取得してもよい。なお、ＰＣ６０を利用せずに別のプリンタドライバを取得する場合は、ＤＶＤやＣＤ−ＲＯＭ等からデータを読み取るためのピックアップや、ピックアップによって読み取ったデータを処理する信号処理回路等が、本発明におけるプリンタドライバ取得手段を構成する。
【００４８】
また、上記実施形態においては、ＤＶＤ３０の再生処理と、ＤＶＤ３０に収録された字幕の印刷処理とを別々に実行するようにしたが、これらの処理を同時に実行してもよい。その場合、リモコン２０や操作部３が操作されてＤＶＤ３０の再生が指定されたときや、テレビ４０のモニタ４０ｂにＤＶＤ３０の映像が表示される前に、図５の初期メニュー画面Ｇ１を自動的に表示すると、ユーザは字幕の印刷設定を忘れることなく行える。
【００４９】
また、上記実施形態においては、ＤＶＤプレーヤ１０とプリンタ５０またはＰＣ６０を接続するためのインターフェイスとしてＵＳＢインターフェイス８を例に挙げたが、本発明はこれのみに限定するものではなく、これ以外に、ＩＥＥＥ１３９４の規格に準拠したインターフェイスや、パラレルインターフェースのようなものであってもよい。
【００５０】
また、上記実施形態においては、記録媒体としてＤＶＤを例に挙げたが、本発明の記録媒体は、例えばハードディスクのようなものであってもよい。
【００５１】
さらに、上記実施形態においては、映像再生装置としてＤＶＤプレーヤ１０を例に挙げたが、本発明の映像再生装置は、例えばＰＣ（Ｐｅｒｓｏｎａｌ  Ｃｏｍｐｕｔｅｒ）に組み込まれるディスクドライブのようなものであってもよい。
【００５２】
【発明の効果】
本発明によれば、ユーザは印刷された字幕をじっくり読んで洋画等のコンテンツを楽しむことができる。また、視聴時に素早く切り替わる場面の字幕を読み逃した場合でも、印刷された字幕によりセリフ等を容易に確認することができる。また、特許文献２のビデオディスクプレーヤのように、記録媒体のデータ中にプリンタ駆動用信号を予め記録しておかなくても、字幕を用紙に印刷することができる。
【図面の簡単な説明】
【図１】ＤＶＤプレーヤを用いたシステムの一例である。
【図２】ＤＶＤプレーヤの電気的構成を示したブロック図である。
【図３】ＤＶＤのデータ構造を階層的に示した図である。
【図４】ＤＶＤのデータを処理するときの処理フローを表した図である。
【図５】印刷設定をするための初期メニュー画面の図である。
【図６】印刷指定画面の図である。
【図７】字幕の印刷イメージの一例を示す図である。
【図８】プリンタドライバを記憶させる手順を説明する図である。
【図９】プリンタドライバ選択画面の図である。
【符号の説明】
１    制御部
８    ＵＳＢインターフェイス
９    ＥＥＰＲＯＭ
１１  スプーラ
１０  ＤＶＤプレーヤ
３０  ＤＶＤ
５０、５０ａ  プリンタ
Ｄ、Ｄ１、Ｄ２  プリンタドライバ
Ｇ２  印刷指定画面
Ｇ３  プリンタドライバ選択画面
Ｊ    字幕
Ｓ    用紙
Ｗ１  印刷対象選択ウインドウ
【図１】
2004228997.tif 000003
【図２】
2004228997.tif 000004
【図３】
2004228997.tif 000005
【図４】
2004228997.tif 000006
【図５】
2004228997.tif 000007
【図６】
2004228997.tif 000008
【図７】
2004228997.tif 000009
【図８】
2004228997.tif 000010
【図９】
2004228997.tif 000011